(57)【要約】【課題】適切なタイミングでメンテナンスの実施を促すことが可能な画像投影装置を提供する。【解決手段】１または複数のセンサから取得されたセンサ情報に基づいて、画像投影装置を構成する１または複数のデバイスの機能状態を演算する分析部と、デバイスの機能状態に基づいて、各デバイスのメンテナンスの要否を判定する判定部と、判定部によりメンテナンスが必要と判定されたタイミングで、デバイスのメンテナンスの実施を促す案内情報を、通知部を介してユーザに対して提示する通知制御部と、を備える、画像投影装置が提供される。【選択図】図６
2018079023.tif 000002
【特許請求の範囲】
【請求項１】
１または複数のセンサから取得されたセンサ情報に基づいて、画像投影装置を構成する１または複数のデバイスの機能状態を演算する分析部と、
前記デバイスの機能状態に基づいて、各前記デバイスのメンテナンスの要否を判定する判定部と、
前記判定部によりメンテナンスが必要と判定されたタイミングで、前記デバイスのメンテナンスの実施を促す案内情報を、通知部を介してユーザに対して提示する通知制御部と、
を備える、画像投影装置。
【請求項２】
前記通知制御部は、メンテナンスが必要と判定された前記デバイスの機能状態をさらに提示させる、請求項１に記載の画像投影装置。
【請求項３】
前記通知制御部は、メンテナンスが必要と判定された前記デバイスについて、メンテナンス実施による効果をさらに提示させる、請求項１に記載の画像投影装置。
【請求項４】
前記分析部は、メンテナンスが必要と判定された前記デバイスのメンテナンス実施前の機能状態と、メンテナンス実施後に予測される機能状態とを分析し、
前記通知制御部は、メンテナンス実施前後における前記デバイスの機能状態を通知させる、請求項３に記載の画像投影装置。
【請求項５】
前記通知制御部は、メンテナンスが必要と判定された前記デバイスを撮影した画像をさらに提示させる、請求項１に記載の画像投影装置。
【請求項６】
前記分析部は、前記デバイスの機能状態として、前記デバイスの寿命または故障率のうち少なくともいずれか一方を演算する、請求項１に記載の画像投影装置。
【請求項７】
前記センサは、前記画像投影装置の内部に設けられた温度センサ、輝度センサ、色度センサ、流量計、時間計、撮像装置のうち、少なくともいずれか１つである、請求項１に記載の画像投影装置。
【請求項８】
前記分析部は、前記案内情報の通知後に取得された前記センサ情報に基づいて、デバイスの機能状態を演算し、
前記判定部は、前記案内情報の通知後のデバイスの機能状態に基づきメンテナンスの実施の有無を判定し、メンテナンスが実施されていないと判定したとき、作動負荷を軽減する駆動モードで前記画像投影装置を駆動させることを決定する、請求項１に記載の画像投影装置。
【請求項９】
前記分析部は、前記案内情報の通知後に取得された前記センサ情報に基づいて、デバイスの機能状態を演算し、
前記判定部は、前記案内情報の通知後のデバイスの機能状態に基づきメンテナンスの実施の有無を判定し、メンテナンスが実施されたと判定したとき、メンテナンス実施後の前記デバイスの機能状態を演算し、前記通知制御部は、メンテナンス実施後の前記デバイスの機能状態を通知させる、請求項１に記載の画像投影装置。
【請求項１０】
前記通知制御部は、ユーザの指示により前記画像投影装置を構成する前記デバイスの機能状態を通知させる、請求項１に記載の画像投影装置。
【請求項１１】
前記通知制御部は、少なくとも前記案内情報を、前記画像投影装置により投影される画像上に表示させる、請求項１に記載の画像投影装置。
【請求項１２】
プロセッサにより、
１または複数のセンサから取得されたセンサ情報に基づいて、画像投影装置を構成する１または複数のデバイスの機能状態を演算すること、
前記デバイスの機能状態に基づいて、各前記デバイスのメンテナンスの要否を判定すること、
メンテナンスが必要と判定されたタイミングで、前記デバイスのメンテナンスの実施を促す案内情報を、通知部を介してユーザに対して提示すること、
とを含む、情報処理方法。
【発明の詳細な説明】
【技術分野】
【０００１】
本開示は、画像投影装置及び情報処理方法に関する。
【背景技術】
【０００２】
画像をスクリーン等に投影して表示する画像投影装置であるプロジェクターは、使用時間や使用環境に応じて、機器の故障や光学部品の劣化の可能性が高まる。このため、従来、プロジェクターは、所定の時間が経過する毎にユーザに対してメンテナンスを促す通知を出力する機能を備えている。また、例えば特許文献１では、メンテナンスが実施されない結果、プロジェクター１を構成するデバイスが大きなダメージを受けないように、プロジェクター１の状態に応じてプロジェクター１の電源をオフにする対策が取られている。【０００３】
例えば、プロジェクター内部への塵埃侵入を防ぐために、プロジェクターには吸気口にフィルターが設けられている。しかし、プロジェクターの使用時間が増加するにつれてフィルターに付着する塵埃が増加する。これに伴い圧力損失は増加し、プロジェクター内部への冷却風の取り込みが阻害される。このような状態がさらに進行した場合、プロジェクター内部を十分に冷却することができなくなり、プロジェクター内部に配置された各種デバイス、特に光学デバイスにダメージが発生し、寿命が短縮する可能性がある。そこで、従来のプロジェクターにおいては、例えば「フィルターを交換して下さい」というようなメッセージを投影面に投影して表示し、ユーザにフィルターのメンテナンスを促すようにしている。
【先行技術文献】
【特許文献】
【０００４】
【特許文献１】特開２００３−４３５７７号公報
【発明の概要】
【発明が解決しようとする課題】
【０００５】
しかし、上述のようなメッセージを通知するのみでは、フィルターのメンテナンスを行わないことによる具体的な損失がユーザに伝わらないため、フィルター交換の動機付けを十分に行うことができない。【０００６】
また、ユーザに対してフィルター等のメンテナンスの実施を促す通知を行う場合、従来、プロジェクターの使用環境によらず一律に使用時間のみに基づいて当該通知がなされてきた。しかしながら、実際にプロジェクターのメンテナンスが必要となるタイミングは、ユーザの使用環境やプロジェクターの使用モードによって異なる。そのため、まだメンテナンス不要なプロジェクターにおいてメンテナンスの実施を促したり、より早いタイミングでプロジェクターのメンテナンスが必要であったにも関わらずメンテナンスの実施を促せなかったりする状況が生じていた。【０００７】
そこで、本開示では、適切なタイミングでメンテナンスの実施を促すことが可能な、新規かつ改良された画像投影装置及び情報処理方法を提案する。
【課題を解決するための手段】
【０００８】
本開示によれば、１または複数のセンサから取得されたセンサ情報に基づいて、画像投影装置を構成する１または複数のデバイスの機能状態を演算する分析部と、デバイスの機能状態に基づいて、各デバイスのメンテナンスの要否を判定する判定部と、判定部によりメンテナンスが必要と判定されたタイミングで、デバイスのメンテナンスの実施を促す案内情報を、通知部を介してユーザに対して提示する通知制御部と、を備える、画像投影装置が提供される。【０００９】
また、本開示によれば、プロセッサにより、１または複数のセンサから取得されたセンサ情報に基づいて、画像投影装置を構成する１または複数のデバイスの機能状態を演算すること、デバイスの機能状態に基づいて、各デバイスのメンテナンスの要否を判定すること、メンテナンスが必要と判定されたタイミングで、デバイスのメンテナンスの実施を促す案内情報を、通知部を介してユーザに対して提示すること、とを含む、情報処理方法が提供される。
【発明の効果】
【００１０】
以上説明したように本開示によれば、適切なタイミングでメンテナンスの実施を促すことが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係るプロジェクターを示す模式図である。
【図２】フィルターへの塵埃付着量と、冷却風量及びデバイス温度との一関係例を示す説明図である。
【図３】デバイス温度とデバイス寿命との一関係例を示す説明図である。
【図４】フィルターへの塵埃付着量とデバイス寿命との一関係例を示す説明図である。
【図５】同実施形態に係る情報処理装置の機能構成を示す機能ブロック図である。
【図６】同実施形態に係る情報処理装置によるメンテナンス実施通知処理の一例を示すフローチャートである。
【図７】投影面に投影された画面上の案内情報の一例を示す説明図である。
【図８】投影面に投影された画面上の案内情報の一例を示す説明図であって、現在のプロジェクター寿命とメンテナンス後のプロジェクター寿命とを提示する例を示す。
【図９】投影面に投影された画面上の案内情報の一例を示す説明図であって、プロジェクター内部をカメラにより撮影した画像とともに提示する例を示す。
【図１０】投影面に投影された画面上の案内情報の一例を示す説明図であって、メンテナンスによる効果を提示する例を示す。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．概要
２．メンテナンス実施通知処理
２．１．機能構成
２．２．処理例
【００１４】
＜１．概要＞
まず、図１〜図４を参照して、本開示の一実施形態に係る画像投影装置であるプロジェクターの概略構成と、当該プロジェクターにおけるメンテナンス通知機能の概要とを説明する。図１は、本実施形態に係るプロジェクター１の概略構成を示す模式図である。図２は、フィルターへの塵埃付着量と、冷却風量及びデバイス温度との一関係例を示す説明図である。図３は、デバイス温度とデバイス寿命との一関係例を示す説明図である。図４は、フィルターへの塵埃付着量とデバイス寿命との一関係例を示す説明図である。
【００１５】
プロジェクター１は、例えば画像をスクリーン等に投影して表示する画像投影装置の一例である。本実施形態に係るプロジェクター１の表示方式は特に限定されず、例えば３ＬＣＤ（Liquid Crystal Display）方式、ＤＬＰ方式、ＬＣＯＳ（Liquid
Crystal On Silicon）方式等、様々な方式のプロジェクターを想定している。例えば、３ＬＣＤ方式のプロジェクターでは、光源部である光源装置から出射された白色光を、赤、緑、青の三原色に分離し、３つのＬＣＤをそれぞれ透過させることで、スクリーン等の表示面に投影する画像を生成している。３ＬＣＤ方式のプロジェクターは、例えば液晶パネルやダイクロイックプリズム等のように入射された光を変調して合成する光変調合成系の構成部品や、反射ダイクロイックミラー、反射ミラー等のように液晶パネルに光源装置からの光を導く照明光学系の構成部品、ダイクロイックプリズムから出射された画像を投射する投射光学系の構成部品等を備えている。図１において、電源基板や信号処理基板、光源、光学集光系等を含む、プロジェクター１を構成する各種デバイスを構成部品２０として示している。
【００１６】
プロジェクター１は、図１に示すように、筐体１０の内部に構成部品２０を配置し構成されている。構成部品２０により生成された画像は、レンズを介して筐体１０から投影面へ出力される。プロジェクター１には、光源あるいは電源等の発熱による筐体１０内部の温度上昇を抑制し、機器の故障や光学部品の劣化を防止するため、筐体１０内部の空気を排出口１４から排出する冷却ファン３０が設けられている。冷却ファン３０が作動することにより吸気口１２から外気が筐体１０内部に取り込まれる。この際、筐体１０内部への塵埃の侵入を防ぐため、筐体１０の吸気口１２にはフィルター４０が設けられている。なお、図１は模式図であり、図１に示したフィルター４０以外にも、筐体１０の他の開口部（図示せず。）にファンを設置し、筐体１０内部の排気を補助する構成としてもよい。
【００１７】
本実施形態に係るプロジェクター１は、プロジェクター１を構成する各種デバイスの機能状態に応じて、それぞれ適切なタイミングでユーザにメンテナンスの実施を促す通知を出力する機能を有する。すなわち、センサを用いてプロジェクター１の性能あるいは性能に影響を及ぼす情報を取得し、取得されたセンサ情報に基づいて実際のデバイスの機能状態を確認しながらそれぞれのデバイスのメンテナンスの要否を判定する。そして、プロジェクター１は、メンテナンスが必要と判定されたタイミングで、メンテナンスの実施を促す通知を行う。
【００１８】
例えば、プロジェクター１内部に設けられるデバイスのうち、液晶パネル等の光学デバイスの機能状態は、筐体１０内部の冷却状態に影響する。筐体１０内部の冷却は、筐体１０の吸気口１２から外気を冷却風として取り込み、取り込まれた冷却風を筐体１０の内部を通過させ、排出口１４から排出して行われる。吸気口１２には、筐体１０内部への塵埃の侵入を防ぐため、フィルター４０が設けられている。フィルター４０への塵埃の付着量が増加し、目詰まりが生じると、筐体１０内部に取り込まれる外気量は低下し、筐体１０内部が十分に冷却されなくなる。そうすると、光学デバイス等の温度が上昇し、その寿命が短くなってしまう。
【００１９】
以下、具体的に説明する。まず、図２より、フィルター４０への塵埃付着量と、冷却風量及びデバイス温度との関係をみる。ここで、図２において、冷却風量は、筐体１０内部に供給される相対風量として示している。相対風量は、フィルター４０の初期状態での風量を１００％とした場合の相対風量を示している。また、フィルター４０への塵埃付着量は、単位面積当たりの塵埃付着量を示している。図２に示すように、フィルター４０に塵埃が付着していくと、フィルター４０の圧力損失が増大する。このとき、冷却ファン３０の駆動能力の許容範囲を超えるまでは、冷却ファン３０の駆動能力を高めることで筐体１０内部の冷却性能を低下させずに対応可能である。
【００２０】
しかし、冷却ファン３０の駆動能力を超える圧力損失が発生した場合、筐体１０内部に取り込まれる外気の風量が低下する。なお、筐体１０内部に取り込まれる外気の風量の低下度合は、フィルター４０に堆積する塵埃の素性、冷却ファン３０の能力、フィルター４０のフィルター面積等によって左右される。このように筐体１０内部に取り込まれる外気の風量が低下すると、筐体１０内部に設けられているデバイスの冷却能力が低下し、当該デバイス温度が上昇する。
【００２１】
次に、図３より、筐体１０内部に設けられたデバイスのデバイス温度と、当該デバイスのデバイス寿命との関係をみる。一般に、光学部材（特に、有機材料を使用している光学部材）は、高温で使用するほど性能劣化が進み、寿命が短くなる。プロジェクター１の光学デバイスも同様であり、図３に示すように、デバイス温度が高くなるほどデバイス寿命は短くなる。なお、デバイス寿命として、例えばデバイスの累積故障率が５０％を超える時間を寿命と定義してもよい。
【００２２】
そして、図２及び図３より、図４に示すようなフィルター４０への塵埃付着量とデバイス寿命との関連性が得られる。図４より、フィルター４０への塵埃付着量が多い状態でプロジェクター１を使用するほど、光学デバイスの寿命が短くなることがわかる。また、光学デバイスがダメージを受けて寿命が短くなった場合、そのダメージは一般的には不可逆である。このため、フィルター４０を交換したとしても、フィルター４０の交換後に光学デバイスのダメージが回復して寿命が元に戻るということはない。したがって、デバイスがダメージを受ける前段階で確実にメンテナンスが実行されるようにユーザを促せるかが、プロジェクター１を長期間安定して使用する上で重要となる。
【００２３】
そこで、本実施形態に係るプロジェクター１は、当該プロジェクター１にとって最適な時期にユーザが確実にプロジェクター１のメンテナンスを行うように促す機能を有している。これにより、プロジェクター１を構成する各デバイスのデバイス寿命が設計時に想定した寿命より短くなることはなく、プロジェクター１の性能が著しく低下することもない。以下、本実施形態に係るプロジェクター１のメンテナンスの実施を促す通知を行う処理について説明する。
【００２４】
＜２．メンテナンス実施通知処理＞
［２．１．機能構成］
まず、図５に基づいて、本実施形態に係るプロジェクター１において、プロジェクター１のメンテナンスの実施を促す通知を行う処理を実行する情報処理装置１００の機能構成を説明する。図５は、本実施形態に係る情報処理装置１００の機能構成を示す機能ブロック図である。情報処理装置１００は、図５ではプロジェクター１の本体に設けられているものとして記載しているが、プロジェクター１とは別体に設けられていてもよい。
【００２５】
本実施形態に係る情報処理装置１００は、図５に示すように、分析部１１０と、判定部１２０と、通知制御部１３０と、記憶部１４０とを含む。
【００２６】
分析部１１０は、プロジェクター１の性能あるいはプロジェクター１の性能に影響を及ぼす情報に基づいて、デバイスの機能状態を分析する。プロジェクター１の性能あるいはプロジェクター１の性能に影響を及ぼす情報は、センサ５０によって取得される。センサ５０は、プロジェクター１本体に設けられていてもよく、情報処理装置１００と通信可能に接続された外部のセンサであってもよい。センサ５０としては、例えば、温度センサ５１、輝度センサ５２、色度センサ５３、流量計５４、時間計５５、カメラ５６等を用いてもよい。
【００２７】
温度センサ５１は、プロジェクター１の筐体１０内部に設けられ、筐体１０の内部温度を測定するセンサである。あるいは、温度センサ５１は、筐体１０の内部に設けられたデバイスのデバイス温度を測定するセンサであってもよい。温度センサ５１により、筐体１０内部の冷却状態を把握することができる。輝度センサ５２及び色度センサ５３は、プロジェクター１により投影される投射光の輝度及び色度を測定するセンサである。輝度あるいは色度より、プロジェクター１の光源あるいは液晶パネルの機能状態を把握することが可能である。流量計５４は、吸気口１２から筐体１０内部に取り込まれる外気の流量を測定する。流量計５４により測定された流量によって、フィルター４０の詰まり具合を把握することが可能となる。時間計５５は、プロジェクター１の累計使用時間あるいは前回のメンテナンス実施からの使用時間を計測する。カメラ５６は、筐体１０内部の状態を撮影する。デバイスの状態を視覚的に判断可能な場合には、カメラ５６を用いて対象となるデバイスを撮影可能に構成すればよい。
【００２８】
なお、プロジェクター１には同一種類のセンサが複数設けられていてもよい。また、プロジェクター１は、センサ５０として上記以外のセンサを利用してもよい。情報処理装置１００は少なくとも１つのセンサから情報を取得できればよい。センサ５０により取得された情報（以下、「センサ情報」ともいう。）は、情報処理装置１００の分析部１１０へ入力される。
【００２９】
分析部１１０は、センサ５０により取得されたセンサ情報に基づき、プロジェクター１を構成するデバイスの機能状態を分析する。ここで、デバイスの機能状態とは、デバイスダメージの程度をいい、具体的にはデバイス寿命あるいは故障率等により表される。各デバイスは、使用時間や使用環境に応じて徐々に機能が低下する。分析部１１０は、デバイスの機能の低下度合、すなわち、デバイスのダメージの程度を、センサ情報に基づき算出する。算出された各デバイスの機能状態は、判定部１２０へ出力される。
【００３０】
判定部１２０は、分析部１１０により算出された各デバイスの機能状態に基づいて、デバイスのメンテナンス要否を判定する。各デバイスの機能状態にはそれぞれ閾値が設定されており、判定部１２０は、各デバイスについて現在の機能状態が閾値を下回ったか否かを判定する。判定部１２０は、少なくとも１つのデバイスについてメンテナンスが必要と判定したとき、通知制御部１３０に対して通知処理の実行を指示する。また、判定部１２０は、案内情報通知後に取得されたセンサ情報に基づいて、メンテナンスが実施されたか否かを判定する。判定部１２０は、メンテナンスの実施の有無に基づき、必要に応じてプロジェクター１の各デバイスを制御する駆動制御部７０に、プロジェクター１の駆動モードを変更させる。
【００３１】
通知制御部１３０は、メンテナンスが必要と判定されたデバイスのメンテナンスの実施を促す案内情報を、メンテナンスが必要と判定されたタイミングでユーザに対して提示する。通知制御部１３０は、案内情報を通知可能なプロジェクターの通知部６０に対して、案内情報の提示を指示する。
【００３２】
通知部６０としては、例えば、プロジェクター１により投影される画像上に表示させるための機能部として、表示処理部６１及び投影部６３がある。表示処理部６１は、通知制御部１３０の指示を受けて、デバイスのメンテナンスの実施を促す案内情報を投影される画像上に重畳する処理を行い、処理後の画像が投影部６３を介して投影面に投射される。本実施形態においては、デバイスのメンテナンスの実施を促す案内情報を、プロジェクター１により投影される画像上に表示させることができるため、ユーザにわかりやすく通知することができる。あるいは、通知部６０として、例えば、プロジェクター１の本体に設けられた本体表示部６５または音声出力部６７等を利用してもよい。さらには、外部機器との通信を行うインタフェース部６９を介して、外部機器に表示させてもよい。外部機器としては、例えばリモートコントローラ等がある。
【００３３】
記憶部１４０は、メンテナンス実施通知処理を行うために必要な各種情報を記憶する。記憶部１４０には、例えば、メンテナンス実施の要否を判定するために必要な、デバイスの機能状態に関する閾値が記憶されている。あるいは、記憶部１４０には、通知部６０による通知の仕方、案内情報を通知したがメンテナンスが実行されない場合に設定するプロジェクター１の駆動モード等が記憶されている。なお、図５では、記憶部１４０は、判定部１２０にのみ参照されるように記載されているが、本開示はかかる例に限定されず、他の機能部が必要とする情報を記憶することも可能であり、この場合、記憶部１４０は、それらの機能部によって参照可能に構成される。
［２．２．処理例］
図６〜図１０に基づいて、本実施形態に係るプロジェクター１において、情報処理装置１００によるメンテナンス実施通知処理の一例を説明する。なお、図６は、本実施形態に係る情報処理装置１００によるメンテナンス実施通知処理の一例を示すフローチャートである。図７〜図１０は、案内情報等の一例を示す説明図である。以下の説明では、具体例として、プロジェクター１の筐体１０の吸気口１２に設けられたフィルター４０のメンテナンスの要否を判定する場合を考える。
【００３４】
本実施形態に係る情報処理装置１００は、プロジェクター１の起動時、所定のタイミングでメンテナンスの実施を促す案内情報の提示を行うか否かを確認する。例えば、所定の時間が経過する毎に、図６に示す処理が行われる。
【００３５】
具体的には、まず、分析部１１０により、プロジェクター１の内部に設けられている各種デバイスの機能状態を分析部１１０により分析する（Ｓ１００）。分析部１１０は、当該処理を実施するタイミングで、プロジェクター１の各デバイスの機能状態を取得するため、センサ５０からセンサ情報を取得する。例えば、フィルター４０の機能状態を取得するためには、センサ情報として、温度センサ５１により取得されるプロジェクター１の内部温度、流量計５４により測定されるフィルター４０を通過する外気の流量等がある。さらに、時間計５５から取得されるプロジェクター１の駆動時間あるいはフィルター４０の使用時間、カメラ５６によるフィルター４０の撮影画像等をセンサ情報として用いてもよい。
【００３６】
分析部１１０は、センサ情報を用いて、各デバイスの機能状態を、デバイスダメージを表す指標、例えばデバイス寿命あるいは故障率等により表す。センサ情報とデバイスダメージを表す指標との関係は、予め取得されているものとする。分析部１１０は、センサ情報を、デバイスダメージを表す指標へ換算し、現在のデバイスの機能状態として判定部１２０へ出力する。分析部１１０は、監視するデバイス毎に機能状態を取得する。
【００３７】
次いで、判定部１２０により、分析部１１０により算出された各デバイスの機能状態に基づいて、デバイスのメンテナンス要否を判定する（Ｓ１１０）。判定部１２０は、記憶部１４０を参照して、各デバイスについて設定されている機能状態の閾値を取得し、ステップＳ１００にて得られたデバイスの機能状態と比較する。そして、判定部１２０は、現在の機能状態と閾値との大小関係に基づき、当該デバイスのメンテナンスの要否を判定する。
【００３８】
例えば、デバイスの機能状態として、残されたデバイス寿命を用いるとすると、デバイス寿命が閾値として設定された時間以下となった場合にメンテナンスが必要と判定される。この場合、判定部１２０は、ステップＳ１００にて得られたデバイス寿命が閾値よりも長いと判定すると、図６に示す処理を終了し、情報処理装置１００は、次回メンテナンス実施通知処理を実施するタイミングまで待機する。一方、ステップＳ１００にて得られたデバイス寿命が閾値以下と判定した場合には、判定部１２０は、ユーザに対してメンテナンスの実施を促す案内情報を通知することを決定し、通知制御部１３０へ案内情報の通知を指示する（Ｓ１２０）。
【００３９】
通知制御部１３０は、予め設定された通知方法により、デバイスのメンテナンスを実施するようユーザを促す。案内情報の通知の仕方としては、例えば、図７に示すように、プロジェクター１により投影される画像２００に案内情報２１０を表示させたり、プロジェクター１の本体表示部６５に表示させたりすることが考えられる。あるいは、プロジェクター１と通信可能なリモートコントローラ３等の外部機器の表示部３ａに案内情報を表示させてもよく、プロジェクター１あるいは外部機器の音声出力部を介して音声により通知してもよい。プロジェクター１では、投影面に投影される画像を利用して案内情報を通知可能であるため、ユーザの視界に入りやすく案内情報を提示可能であり、メンテナンスの実施を効果的にユーザに促すことができる。案内情報は、通知部６０のうち少なくともいずれか１つを用いて通知されればよい。
【００４０】
ここで、案内情報としては、例えば図７に示すように、「フィルターのメンテナンス時期です」といったフィルターのメンテナンスの実施をユーザに促すメッセージを用いてもよい。さらに、よりユーザにメンテナンスの実施の動機付けをするために、具体的なデバイスの機能状態等を提示してもよい。例えば、図８の案内情報２１２のように、フィルターのメンテナンスの実施を促すにあたり、メンテナンスをせずに使用し続けた場合の寿命と、メンテナンスを実施した場合のプロジェクター寿命とを比較表示してもよい。これにより、メンテナンスを実施した場合の効果が明確にユーザに提示されるので、ユーザに強い動機付けを与えることができる。また、例えば図９の案内情報２１４のように、プロジェクター１の内部に設置したカメラ５６によりフィルターを撮影した撮影画像２１４ａをメッセージとともに表示してもよい。実際のフィルターの状態をユーザに提示することで、視覚的にフィルターの機能低下を伝えることができるので、ユーザに強い動機付けを与えることが可能となる。
【００４１】
その他にも、例えば、フィルターのメンテナンスの未実施によってプロジェクター１の内部温度が上昇し、プロジェクター１の内部の光学部品の寿命が高速で短くなっている様子を、数字あるいはインジケーター等を用いて表示してもよい。また、プロジェクター１の内部デバイスに、回復不能な損失が蓄積していっている旨を表示することで通知してもよい。
【００４２】
案内情報の提示は、案内情報の提示をすると決定された以降、プロジェクター１の電源が最初にオフにされるとき、案内情報の提示が決定された直後、等に行ってもよい。また、案内情報をプロジェクター１の投影面に投影される画像上に表示させる場合、案内情報の表示位置は、例えば図７に示す画像右下のように投影画像の妨げにならない四隅であってもよく、ユーザへの動機付けを強くするため、画像全体に表示させてもよい。
【００４３】
その後、判定部１２０は、メンテナンスの実施を促したデバイスについて、メンテナンスが実施されたか否かを判定する（Ｓ１３０）。メンテナンスの実施の有無は、案内情報通知後にセンサ５０により取得されたセンサ情報に基づいて判定可能である。例えば、フィルター４０のメンテナンスの実施の有無について、例えばセンサ情報として得られたプロジェクター１の内部温度を用いて、内部温度が所定の温度以下まで低下したか否かによって判定することができる。フィルター４０の機能低下の結果生じた内部温度の上昇は、フィルター４０が清掃されると解消され、内部温度は低下する。このように、センサ情報そのものを利用して、メンテナンスの実施の有無を判定することができる。あるいは、分析部１１０によりセンサ情報を用いて各デバイスの機能状態を分析し、当該機能状態に基づきメンテナンスの実施の有無を判定してもよい。
【００４４】
判定部１２０は、メンテナンス対象のデバイスのメンテナンスが実施されたと判定すると、メンテナンス実施による効果をユーザに提示し（Ｓ１４０）、当該処理を終了後、情報処理装置１００は、次回メンテナンス実施通知処理を実施するタイミングまで待機する。例えば図１０に示すように、フィルターのメンテナンスを実施した結果、メンテナンス前からプロジェクターの寿命が延びたことを通知する効果情報２２０を提示してもよい。さらに、プロジェクター１を構成する内部デバイスの寿命の延びを提示してもよい。また、使用環境が同一であると仮定すれば、情報処理装置１００は次のメンテナンス実施のタイミングも算出することが可能なことから、次回のメンテナンス実施時期の目安をユーザに提示するようにしてもよい。
【００４５】
一方、ステップＳ１３０にてメンテナンス対象のデバイスのメンテナンスが実施されていないと判定すると、判定部１２０は、案内情報をユーザに提示し続けることを決定する。そして、判定部１２０は、プロジェクター１の内部に設けられたデバイスへの損傷が生じないか否かを判定し、プロジェクター１の駆動モードの変更の要否を判定する（Ｓ１５０）。メンテナンス対象のデバイスのメンテナンスが実施されないままプロジェクター１が使用され続けると、当該デバイスだけでなく他のデバイスにも負荷がかかり、これらの性能や寿命を低下させる可能性がある。
【００４６】
そこで、メンテナンスの未実施が続き、プロジェクター１を構成するデバイスのうち少なくともいずれか１つの寿命が所定時間より短くなると判定したとき、プロジェクター１の一部の機能を低下させる駆動モードに変更し、負荷の軽減を図る（Ｓ１６０）。判定部１２０は、駆動モードの変更が必要と判定した場合、駆動モード変更指示を、プロジェクター１の各デバイスの駆動を制御する駆動制御部７０へ出力する。駆動制御部７０は、駆動モード変更指示を受けて、外部負荷からの保護が必要なデバイスの性能を低下させ、デバイスを保護する。
【００４７】
例えば、フィルター４０のメンテナンスが必要であるがメンテナンスが実施されないとき、駆動制御部７０は、プロジェクター１の内部温度の上昇を抑制するため、冷却ファン３０の回転数を増加させたり、光源部の出力を低下させたりする駆動モードに変更する。これにより、メンテナンスが実施されない結果、プロジェクター１の本来機能が低下するのを防止することができ、プロジェクター１を保護することができる。
【００４８】
ステップＳ１６０にて駆動モードが変更された後、または、ステップＳ１５０にて駆動モードの変更はまだ必要でないと判定されると、ステップＳ１３０の処理に戻り、メンテナンスが実施されたか否かを判定する。そして、メンテナンスが実施されるまで、ステップＳ１３０〜Ｓ１６０の処理が繰り返し実行される。なお、ステップＳ１６０にて駆動モードが変更された後、デバイスのメンテナンスが実行された場合には、プロジェクター１の駆動モードを、通常の駆動モードに戻すようにしてもよい。
【００４９】
以上、本実施形態に係るプロジェクター１における情報処理装置１００によるメンテナンス実施通知処理を説明した。本実施形態に係るプロジェクター１は、プロジェクター１の内部に設けられたデバイスの機能状態に基づき、適切な時期にメンテナンス実施の通知を行うことができる。これにより、不要なメンテナンスを無くすことができ、かつ、メンテナンスが必要な状態でプロジェクター１が使用され続けることも防止できる。例えば、プロジェクター１の使用環境がクリーンな場合と塵埃の多い場合とで、デバイスの損傷速度も異なる。このような場合にも、最適な時期にメンテナンスの実施を促すことができる。
【００５０】
また、本実施形態に係るプロジェクター１は、ユーザにデバイスのメンテナンスの実施を促す案内情報を通知する際に、プロジェクターの寿命、あるいは実際の画像といった情報も合わせて提示することが可能である。これにより、ユーザに対してメンテナンスの実施をより強く動機付けすることができ、機器の長期安定運用につなげることができる。また、ユーザがメンテナンス対象のデバイスのメンテナンスを実施した際に、それによる効果を提示することも可能である。これにより、ユーザに対してメンテナンスを行うことに対する明確な動機付けを与えることができ、機器に対する愛着も喚起できる。
【００５１】
なお、上記説明では、デバイスのメンテナンス実施が必要と判定された場合にのみ、案内情報にデバイスの機能状態を表示させたが、本開示はかかる例に限定されず、例えばユーザの指示によりデバイスの機能状態をユーザに提示するようにしてもよい。例えば、ユーザがフィルター等のデバイスのメンテナンスの効果を確認したい場合や、現在のフィルターの機能状態を確認したい場合もある。そこで、例えばプロジェクター１を操作するための、ユーザがアクセス可能なメニュー画面に、デバイスの機能状態を表示する機能を設け、ユーザの要求に応じて提示できるようにしてもよい。
【００５２】
さらに、本実施形態に係るプロジェクター１は、ユーザがメンテナンス対象のデバイスのメンテナンスを実施しない場合に、プロジェクター１の内部デバイスへの負荷の少ない駆動モードに変更することも可能である。これにより、プロジェクター１を構成する各デバイスに不可逆的なダメージがかかり続けることを防止し、機器を保護することができる。
【００５３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５４】
例えば、上記実施形態では、説明を簡単にするため、フィルターのメンテナンスのみを取り扱ったが、本技術はかかる例に限定されない。例えば、複数のデバイスのメンテナンスの要否を並行して判定するように構成することも可能である。
【００５５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５６】
なお、以下のような構成も本開示の技術的範囲に属する。
（１）
１または複数のセンサから取得されたセンサ情報に基づいて、画像投影装置を構成する１または複数のデバイスの機能状態を演算する分析部と、
前記デバイスの機能状態に基づいて、各前記デバイスのメンテナンスの要否を判定する判定部と、
前記判定部によりメンテナンスが必要と判定されたタイミングで、前記デバイスのメンテナンスの実施を促す案内情報を、通知部を介してユーザに対して提示する通知制御部と、
を備える、画像投影装置。
（２）
前記通知制御部は、メンテナンスが必要と判定された前記デバイスの機能状態をさらに提示させる、前記（１）に記載の画像投影装置。
（３）
前記通知制御部は、メンテナンスが必要と判定された前記デバイスについて、メンテナンス実施による効果をさらに提示させる、前記（１）または（２）に記載の画像投影装置。
（４）
前記分析部は、メンテナンスが必要と判定された前記デバイスのメンテナンス実施前の機能状態と、メンテナンス実施後に予測される機能状態とを分析し、
前記通知制御部は、メンテナンス実施前後における前記デバイスの機能状態を通知させる、前記（３）に記載の画像投影装置。
（５）
前記通知制御部は、メンテナンスが必要と判定された前記デバイスを撮影した画像をさらに提示させる、前記（１）〜（４）のいずれか１項に記載の画像投影装置。
（６）
前記分析部は、前記デバイスの機能状態として、前記デバイスの寿命または故障率のうち少なくともいずれか一方を演算する、前記（１）〜（５）のいずれか１項に記載の画像投影装置。
（７）
前記センサは、前記画像投影装置の内部に設けられた温度センサ、輝度センサ、色度センサ、流量計、時間計、撮像装置のうち、少なくともいずれか１つである、前記（１）〜（６）のいずれか１項に記載の画像投影装置。
（８）
前記分析部は、前記案内情報の通知後に取得された前記センサ情報に基づいて、デバイスの機能状態を演算し、
前記判定部は、前記案内情報の通知後のデバイスの機能状態に基づきメンテナンスの実施の有無を判定し、メンテナンスが実施されていないと判定したとき、作動負荷を軽減する駆動モードで前記画像投影装置を駆動させることを決定する、前記（１）〜（７）のいずれか１項に記載の画像投影装置。
（９）
前記分析部は、前記案内情報の通知後に取得された前記センサ情報に基づいて、デバイスの機能状態を演算し、
前記判定部は、前記案内情報の通知後のデバイスの機能状態に基づきメンテナンスの実施の有無を判定し、メンテナンスが実施されたと判定したとき、メンテナンス実施後の前記デバイスの機能状態を演算し、前記通知制御部は、メンテナンス実施後の前記デバイスの機能状態を通知させる、前記（１）〜（８）のいずれか１項に記載の画像投影装置。
（１０）
前記通知制御部は、ユーザの指示により前記画像投影装置を構成する前記デバイスの機能状態を通知させる、前記（１）〜（９）のいずれか１項に記載の画像投影装置。
（１１）
前記通知制御部は、少なくとも前記案内情報を、前記画像投影装置により投影される画像上に表示させる、前記（１）〜（１０）のいずれか１項に記載の画像投影装置。
（１２）
プロセッサにより、
１または複数のセンサから取得されたセンサ情報に基づいて、画像投影装置を構成する１または複数のデバイスの機能状態を演算すること、
前記デバイスの機能状態に基づいて、各前記デバイスのメンテナンスの要否を判定すること、
メンテナンスが必要と判定されたタイミングで、前記デバイスのメンテナンスの実施を促す案内情報を、通知部を介して前記ユーザに対して提示すること、
とを含む、情報処理方法。
【符号の説明】
【００５７】
１                        プロジェクター
１０                      筐体
１２                      吸気口
１４                      排出口
２０                      構成部品
３０                      冷却ファン
４０                      フィルター
５０                      センサ
５１                      温度センサ
５２                      輝度センサ
５３                      色度センサ
５４                      流量計
５５                      時間計
５６                      カメラ
６０                      通知部
６１                      表示処理部
６３                      投影部
６５                      本体表示部
６７                      音声出力部
６９                      インタフェース部
７０                      駆動制御部
１００                    情報処理装置
１１０                    分析部
１２０                    判定部
１３０                    通知制御部
１４０                    記憶部
２００                    画像
２１０、２１２、２１４    案内情報
２１４ａ                  撮影画像
２２０                    効果情報
【図１】
2018079023.tif 000003
【図２】
2018079023.tif 000004
【図３】
2018079023.tif 000005
【図４】
2018079023.tif 000006
【図５】
2018079023.tif 000007
【図６】
2018079023.tif 000008
【図７】
2018079023.tif 000009
【図８】
2018079023.tif 000010
【図９】
2018079023.tif 000011
【図１０】
2018079023.tif 000012
【国際調査報告】
2018079023.tif 000013
2018079023.tif 000014
2018079023.tif 000015
2018079023.tif 000016